(57)【特許請求の範囲】
【請求項１】
ベースおよびカバーを含むディスクエンクロージャと、前記ディスクエンクロージャ内に配置され、情報を記憶するディスクに対する情報の書き込みおよび読み出しを行う磁気ヘッドと、前記磁気ヘッドを保持するアクチュエータと該アクチュエータの近傍に配置される磁気回路との組み合わせにより、前記磁気ヘッドを前記ディスクの所定の位置に移動させるべく前記磁気ヘッドを駆動する駆動コイルモータとを有するディスク装置において、少なくとも１つのねじにより前記磁気回路が前記ベースに固定されるディスク装置の磁気回路固定構造であって、
前記磁気回路は、マグネットが取付けられた上部磁気ヨーク、マグネットが取付けられ前記上部磁気ヨークと隙間を置いて対向する下部磁気ヨーク、および上部磁気ヨークと下部磁気ヨークとの間を磁気的に接続する磁気回路接続部を有し、
ポリイミド樹脂、ポリエチレンテレフタレート、テフロン（登録商標）のいずれかで形成され、前記磁気回路と前記ベースとの間に挟み込まれる樹脂層と、この樹脂層上に形成された粘着層とを備え、
前記磁気回路の下部磁気ヨークは、この下部磁気ヨークに形成された固定用孔および前記樹脂層に形成された固定用孔を通して前記ベースにねじ込まれるねじにより、前記樹脂層を挟んで前記ベースに締結される締結部を有し、
前記樹脂層の中で、前記締結部と重なり合う部分を除く領域上に粘着層が形成されていることを特徴とするディスク装置の磁気回路固定構造。
【請求項２】
前記磁気回路および前記ベースは、異種の金属から作製される請求項１記載の磁気回路固定構造。
【請求項３】
ベースおよびカバーを含むディスクエンクロージャと、前記ディスクエンクロージャ内に配置され、情報を記憶するディスクに対する情報の書き込みおよび読み出しを行う磁気ヘッドと、前記磁気ヘッドを保持するアクチュエータと該アクチュエータの近傍に配置される磁気回路との組み合わせにより、前記磁気ヘッドを前記ディスクの所定の位置に移動させるべく前記磁気ヘッドを駆動する駆動コイルモータとを有するディスク装置において、少なくとも１つのねじにより前記磁気回路を前記ベースに固定するためのディスク装置の磁気回路固定方法であって、
前記磁気回路は、マグネットが取付けられた上部磁気ヨーク、マグネットが取付けられ前記上部磁気ヨークと隙間を置いて対向する下部磁気ヨーク、および上部磁気ヨークと下部磁気ヨークとの間を磁気的に接続する磁気回路接続部を有し、
ポリイミド樹脂、ポリエチレンテレフタレート、テフロン（登録商標）のいずれかで形成された樹脂層であって、前記磁気回路の磁気回路接続部と重なり合う部分を除く領域に粘着層が形成された樹脂層を、前記下部磁気ヨークと前記ベースとの間に挟み込み、
前記下部磁気ヨークに形成された固定用孔および前記樹脂層に形成された固定用孔を通して前記ねじを前記ベースにねじ込み、前記磁気回路を前記樹脂層を挟んで前記ベースに固定することを特徴とする、ディスク装置の磁気回路固定方法。
【発明の詳細な説明】
【技術分野】
【０００１】
本発明は、回転するディスクに対する情報の書き込みおよび読み出しを行う磁気ヘッドと、磁気ヘッドを保持するアクチュエータと当該アクチュエータの近傍に配置される磁気回路との組み合わせにより、磁気ヘッドをディスクの所定の位置に移動させるべく磁気ヘッドを駆動する駆動コイルモータ（例えば、ボイスコイルモータ（ＶＣＭモータ））とが、ベースおよびカバーを含むディスクエンクロージャ内に配置される構成のディスク装置の組み立てを行う際に、複数個のねじにより磁気回路をベースに固定するためのディスク装置の磁気回路固定構造、およびディスク装置の磁気回路固定方法に関する。
【背景技術】
【０００２】
一般に、ハードディスク装置（すなわち、磁気ディスク装置：通常、ＨＤＤと略記される）等のディスク装置の組み立て工程においては、磁気ディスク等のディスクがスピンドルのハブの部分に装着されると共に、ボイスコイルモータ等の駆動コイルモータを構成するアクチュエータおよび磁気回路がディスクエンクロージャのベースに装着される。ここで、「アクチュエータ」は、磁気ヘッドを保持するヘッド支持部（ヘッドサスペンション）と、このヘッド支持部の磁気ヘッドと対向する側に形成されるフラットコイルとを含む構成要素を指している。場合によっては、アクチュエータが磁気回路を含むこともある。
【０００３】
さらに詳しく説明すると、磁気回路は、アクチュエータの上部に配置される上部マグネットおよび上部磁気ヨークと、アクチュエータの下部に配置される下部マグネットおよび下部磁気ヨークと、上部磁気ヨークと下部磁気ヨークとの間を磁気的に接続する磁気回路接続部とを有する。一般に、上部磁気ヨーク、下部磁気ヨークおよび磁気回路接続部は、上部マグネットおよび下部マグネットからの磁界により生ずる磁束を通過させるために、鉄等の磁性金属により作製される。また一方で、ディスクエンクロージャのベースは、通常、アルミニウム等の非磁性金属により作製される。換言すれば、磁気回路とベースとは、それぞれ異種の金属により作製されている。
【０００４】
従来のディスク装置の組み立て工程においては、複数個のねじにより磁気回路（特に下部磁気ヨークの部分）をベースに締結することによって磁気回路がベースに固定される。このような異種の金属の締結部分では、異種の金属同士がねじにより強制的に締め付けられている状態になっている。代表的に、アルミニウムからなるベースの熱膨張係数（約２１×１０-6１／°Ｃ）は、鉄からなる磁気回路の熱膨張係数（約１２×１０-6１／°Ｃ）の約２倍である。周囲温度等が変化した場合、ベースは磁気回路より約２倍伸びようとするが、ベースと磁気回路とがねじにより強制的に締め付けられているために、ベースは磁気回路と同じ量しか伸びない。
【０００５】
この結果、異種の金属の熱膨張係数の違いにより、磁気回路がベースを圧縮することになり、異種の金属の締結部分にせん断方向への応力が発生する。このせん断方向への応力が、ねじによる締結部分でのせん断方向の保持力よりも大きくなると、この締結部分で微小の摺動（スティックスリップとも呼ばれる）が発生するようになる。このような微小の摺動は衝撃振動を伴って発生するので、この衝撃振動により磁気ヘッドのヘッド位置が揺れて磁気ヘッドのオントラック性能が悪化し、磁気ヘッドがディスク上の目的とするトラックの位置に安定して整定されなくなるという問題が生ずる。
【０００６】
ここで、参考のため、従来の技術に関連する下記の特許文献１を先行技術文献として呈示する。
【０００７】
特許文献１では、記録媒体駆動装置のスピンドルモータのねじ孔に締め付けねじをねじ込んで締め付けるときに、ねじ孔と締め付けねじとの間に潤滑膜を形成し、この潤滑膜によりねじ孔と締め付けねじとの間の摩擦力を低減させ、ねじ孔を区画する第１部品（スピンドルのハブ）と、第１部品に接触する第２部品（クランプ）と、第１部品のねじ孔にねじ込まれて第１部品に第２部品を固定する締め付けねじとを有する記録媒体駆動装置において、ねじ孔と締め付けねじとの間に潤滑膜を形成し、この潤滑膜によりねじ孔と締め付けねじとの間の摩擦力を低減させ、この締め付けねじでは、同一の締め付けトルクで大きい軸力（軸方向のクランプ力）が確保されるような構造体が開示されている。
【０００８】
しかしながら、特許文献１では、第１部品（スピンドルのハブ）の熱膨張係数と第２部品（クランプ）の熱膨張係数との違いにより異種の金属の締結部分で生ずるせん断方向への応力によって、当該締結部分で衝撃振動を伴う微小の摺動が発生するのを抑制するための具体的な手法に関しては一切言及していない。
【０００９】
したがって、特許文献１によっては、従来の手法により磁気回路をベースに固定する際に、磁気回路の熱膨張係数とベースの熱膨張係数との違いにより衝撃振動を伴う微小の摺動が発生したときに生ずる問題点に対処することはできない。
【００１０】
【特許文献１】特開２００７−２９２２２１号公報
【発明の開示】
【発明が解決しようとする課題】
【００１１】
この出願は上記問題点に鑑みてなされたものであり、ディスク装置内の磁気回路の熱膨張係数とディスクエンクロージャ内のベースの熱膨張係数とが互いに異なっている場合等に、磁気回路とベースとの締結部分で衝撃振動を伴う微小な摺動が発生するのを抑制することが可能なディスク装置の磁気回路固定構造および磁気回路固定方法を提供することを目的とするものである。
【課題を解決するための手段】
【００１６】
代替的な実施態様において、このディスク装置の磁気回路固定構造は、ベースおよびカバーを含むディスクエンクロージャと、上記ディスクエンクロージャ内に配置され、情報を記憶するディスクに対する情報の書き込みおよび読み出しを行う磁気ヘッドと、上記磁気ヘッドを保持するアクチュエータと該アクチュエータの近傍に配置される磁気回路との組み合わせにより、上記磁気ヘッドを上記ディスクの所定の位置に移動させるべく上記磁気ヘッドを駆動する駆動コイルモータとを有するディスク装置において、少なくとも１つのねじにより上記磁気回路が上記ベースに固定される構造になっており、ここで、上記磁気回路と上記ベースとの間の摩擦係数を低減させて上記磁気回路と上記ベースとの間の摺動を抑制するために、上記磁気回路と上記ベースとの間に、粘着層が形成された樹脂層（樹脂材料）が挿入される。
【００１７】
好ましくは、この代替的な実施形態に係る磁気回路固定構造において、上記磁気回路および上記ベースは、異種の金属から作製されており、上記磁気回路の熱膨張係数と上記ベースの熱膨張係数とが互いに異なっている場合でも上記磁気回路と上記ベースとの間の摺動が抑制される。
【００１８】
さらに、好ましくは、この代替的な実施形態に係る磁気回路固定構造において、上記磁気回路は、アクチュエータの上部に配置される上部マグネットおよび上部磁気ヨークと、上記アクチュエータの下部に配置される下部マグネットおよび下部磁気ヨークと、上部磁気ヨークと下部磁気ヨークとの間を磁気的に接続する磁気回路接続部とを備える。
【００１９】
さらに、好ましくは、この代替的な実施形態に係る磁気回路固定構造において、上記樹脂層の中で、上記磁気回路の上記磁気回路接続部と重なり合う部分を除いて、上記粘着層が形成される。
【００２１】
代替的な実施形態において、このディスク装置の磁気回路固定方法は、ベースおよびカバーを含むディスクエンクロージャと、上記ディスクエンクロージャ内に配置され、情報を記憶するディスクに対する情報の書き込みおよび読み出しを行う磁気ヘッドと、上記磁気ヘッドを保持するアクチュエータと該アクチュエータの近傍に配置される磁気回路との組み合わせにより、上記磁気ヘッドを上記ディスクの所定の位置に移動させるべく上記磁気ヘッドを駆動する駆動コイルモータとを有するディスク装置において、少なくとも１つのねじにより上記磁気回路を上記ベースに固定するための方法であって、上記磁気回路と上記ベースとの間の摩擦係数を低減させて上記磁気回路と上記ベースとの間の摺動を抑制するために、上記磁気回路と上記ベースとの間に、粘着層が形成された樹脂層を挟み込む。
【発明の効果】
【００２４】
さらに、開示のディスク装置の磁気回路固定構造および磁気回路固定方法では、単一または複数個のねじにより磁気回路をベースに固定する際に、磁気回路とベースとの間に、粘着層が形成された樹脂層を挟み込み、この樹脂層の、磁気回路と重なり合う部分には、粘着層を形成しないようにすることによって、ねじによる締結力を変えずに磁気回路とベースとの間の摩擦係数を低減させるようにしている。
【００２５】
これによって、鉄等からなる磁気回路の熱膨張係数とアルミニウム等からなるベースの熱膨張係数とが互いに異なっている場合等に、磁気回路とベースとの締結部分で磁気回路およびベースを滑らかに摺動させ、上記締結部分で衝撃振動を伴う微小の摺動が発生するのを抑制することができる。それゆえに、衝撃振動により磁気ヘッドのヘッド位置が揺れて磁気ヘッドのオントラック性能が悪化するのを防止することが可能になる。さらに、樹脂層の、磁気回路と重なり合う部分には粘着層を形成しないようにしているので、粘着層を介して磁気回路をベースに固定することによる磁気回路の取り付け精度の低下を招くことがなくなり、ディスク装置の性能が悪化するのを防止することが可能になる。
【発明を実施するための最良の形態】
【００２６】
以下、添付図面（図１〜図８）を参照しながら、本実施例に係るディスク装置の磁気回路固定構造等を詳しく説明する。
【００２７】
図１は、本実施例に適用されるディスク装置の全体の構成を示す平面図であり、図２は、図１のディスク装置のＢ−Ｂ′断面図である。ただし、図２の断面図では、ディスクエンクロージャ１１のカバー１３を外した状態でディスク装置の磁気回路３およびアクチュエータの部分をＢ−Ｂ′により断面した場合の様子を示す。なお、これ以降、前述した構成要素と同様のものについては、同一の参照番号を付して表すこととする。
【００２８】
ここでは、本発明の実施例に適用されるディスク装置として、磁気ディスク等の回転する記録媒体であるディスク１０に対する情報（データ）の書き込みおよび読み出しを行うための磁気ヘッド２を備えた磁気ディスク装置等のディスク装置１を例示している。
【００２９】
図１および図２に示すディスク装置１は、概略的にいえば、ディスク装置内のディスク１０、磁気ヘッド２、スピンドルモータ１５およびボイスコイルモータ（駆動コイルモータ）４０等の機構部と、磁気ヘッド２によるデータ書き込み動作およびデータ読み出し動作等の各種の動作を制御する制御部（図３および図４では、図示を省略している）とを備えている。
【００３０】
ここで、ディスク装置１は、機構部の各構成要素を収容するためのほぼ直方体の収容空間を形成するディスクエンクロージャ１１を備えている。このディスクエンクロージャ１１は、下部に配置されるベース１２と、上部に配置され、かつ、ベース１２に結合されるカバー１３とを含む。好ましくは、ベース１２は、アルミニウム等の非磁性の金属を鋳造に基づき成形することにより作製される。また一方で、カバー１３は、プレス加工に基づき１枚のアルミニウム等の板材から成形される。ベース１２とカバー１３との間で収容空間は密閉される。
【００３１】
ベース１２とカバー１３との間の収容空間には、スピンドル１４に結合されるスピンドルモータ１５によって回転駆動される単一または複数の磁気ディスク等の回転するディスク１０が同軸上に設けられている。スピンドルモータ１５の動作は、制御部のサーボコントローラにより制御されている。スピンドルモータ１５は、例えば５４００ｒｐｍ、７２００ｒｐｍ、１００００ｒｐｍ、または１５０００ｒｐｍといったような高速度でディスク１０を回転させることができる。
【００３２】
ディスク１０の媒体表面（または媒体裏面）の磁気記録面には、この磁気記録面の外周部（インナ側）から内周部（アウタ側）まで同心円状に複数のトラックが形成されており、このトラックの任意の位置のセクタに所定のデータに対応するデータパターンが書き込まれている。
【００３３】
さらに、ベース１２とカバー１３との間の収容空間には、ディスク１０の磁気記録面のトラックの任意の位置にデータを書き込むと共に、上記磁気記録面のトラックの任意の位置に書き込まれているデータを読み取るための磁気ヘッド２が設けられている。この磁気ヘッド２は、当該磁気ヘッド２を保持するヘッド支持部２１の先端のスライダ２０に実装されている。このヘッド支持部２１は、制御部のサーボコントローラにより制御されるボイスコイルモータ４０によって、ディスク１０の内周部の位置と外周部の位置との間の複数のトラック間を往復移動するように駆動される。これによって、ディスク１０の磁気記録面でデータが書き込まれている全てのデータ領域のセクタに対するアクセスを行うことが可能になる。ここで、ヘッド支持部２１の往復移動がスムーズに行えるようにするために、ボイスコイルモータ１４の中心部にピボットベアリング２２が取り付けられている。
【００３４】
ディスク１０の外周部には、ランプ機構２３が配置されており、ヘッド支持部２１の先端のスライダ２０に係合して磁気ヘッド２をディスク１０から離間させて保持するようになっている。
【００３５】
例えば、ボイスコイルモータ４０によってヘッド支持部２１が矢印Ａの方向に回転することにより、磁気ヘッド２がディスク１０の半径方向に移動し、所望のトラックを走査することが可能になる。ボイスコイルモータ１４には、フレキシブルプリント基板（通常、ＦＰＣ（Flexible Printed Circuit）と略記される）２４が取り付けられており、このフレキシブルプリント基板２４を経由して、ボイスコイルモータ４０および磁気ヘッド２の動作を制御するためのサーボ信号がサーボコントローラから供給される。
【００３６】
ディスク装置１の組み立て工程においては、ディスク１０がスピンドル１４のハブの部分に装着されると共に、ボイスコイルモータ４０を構成するアクチュエータおよび磁気回路３がディスクエンクロージャ１１のベース１２に装着される。ここで、「アクチュエータ」は、磁気ヘッド２を保持するヘッド支持部２１と、このヘッド支持部２１の磁気ヘッド２と対向する側に形成されるフラットコイル２５とを含む構成要素を指している。場合によっては、アクチュエータの近傍に配置される磁気回路３が、アクチュエータに含まれることもある。
【００３７】
以下、本実施例に関連する磁気回路３の構成、および磁気回路３とベース１２との締結部分の構成について詳しく説明する。図１および図２に示すように、磁気回路３は、フラットコイル２５の上部に近接して配置される上部マグネット３１ａおよび上部磁気ヨーク３１と、フラットコイル２５の下部に近接して配置される下部マグネット３０ａおよび下部磁気ヨーク３０と、上部磁気ヨーク３１と下部磁気ヨーク３０との間を磁気的に接続する磁気回路接続部（サイドヨーク）３６〜３８（後述の図３参照のこと）とを有する。上部磁気ヨーク３１および下部磁気ヨーク３０の各々は、フラットコイル２５が移動する範囲に合わせて湾曲形状になるように形成される。さらに、上部磁気ヨーク３１および下部磁気ヨーク３０は、所定の間隔をもって磁気回路接続部３６〜３８により磁気的に接続された構成になっている。上部磁気ヨーク３１、下部磁気ヨーク３０および磁気回路接続部３６〜３８等により形成される磁気回路３内の上部マグネット３１ａおよび上部磁気ヨーク３１と下部マグネット３０ａおよび下部磁気ヨーク３０との間の空隙中をフラットコイル２５が移動可能に組み合わされてボイスコイルモータ２５を構成している。上部磁気ヨーク３１、下部磁気ヨーク３０および磁気回路接続部３６〜３８は、上部マグネット３１ａおよび下部マグネット３０ａからの磁界により生ずる磁束を通過させるために、鉄等の磁性金属により作製される。
【００３８】
図１および図２のディスクエンクロージャ１１のベース１２は、既述したように、アルミニウム等の非磁性金属により作製される。したがって、磁気回路３とベース１２とは、それぞれ異種の金属により作製されることになる。
【００３９】
さらに、図１および図２に示すように、磁気回路３とベース１２との締結部分では、単一または複数個のねじ３３〜３５（図１では、３個のねじ３３〜３５が示されており、図２では、１個のねじ３３のみが示されている）により磁気回路３の下部磁気ヨーク３０をベース１２に締結することによって磁気回路３がベース１２に固定される。
【００４０】
さらに詳しく説明すると、磁気回路３の下部磁気ヨーク３０の第１の端部には、リセス部３３ａを有するねじ３３が配置されている。さらに、ねじ３３がねじ込まれるねじ孔の下部には、ねじ３３の位置決めを行うための位置決め用孔３３ｂが形成されている。また一方で、磁気回路３の下部磁気ヨーク３０の第２の端部には、リセス部３４ａを有するねじ３４が配置され、かつ、磁気回路３の下部磁気ヨーク３０の第３の端部には、リセス部３５ａを有するねじ３５が配置されている。ここで、リセス部３３ａ〜３５ａは、磁気回路３をベース１１に固定する際に、ドライバ等により適度の締め付けトルクをねじ３３〜３５に印加するために使用される。なお、図２には図示していないが、ねじ３４がねじ込まれるねじ孔の下部、および、ねじ３５がねじ込まれるねじ孔の下部には、これらのねじ３４、３５の位置決めを行うための位置決め用孔がそれぞれ形成されていることはいうまでもない。
【００４１】
後述の図６の実施例に示すように、本実施例に係るディスク装置の磁気回路固定構造の第１の例においては、単一または複数個のねじ３３〜３５により磁気回路３をベース１２に固定する際に、このねじ３３〜３５と磁気回路３またはベース１２とが接触する面に潤滑剤を予め塗布することによって潤滑層が形成される。
【００４２】
後述の図８の実施例に示すように、本実施例に係るディスク装置の磁気回路固定構造の第２の例においては、磁気回路３とベース１２との間に、粘着層が形成された樹脂層（樹脂材料）を挟み込むが、この樹脂層の、磁気回路３と重なり合う部分には、粘着層が形成されない。
【００４３】
図３は、本実施例のディスク装置の磁気回路固定構造と対比させる対象となるディスク装置の磁気回路固定構造の主要部の構成を示す斜視図、図４は、図３のディスク装置の磁気回路固定構造を一部断面にて示す図、そして、図５は、磁気回路とベースとの間の微小の摺動により衝撃振動が発生する様子を示すグラフである。
【００４４】
ただし、図３の斜視図では、一般のディスク装置の磁気回路固定構造における複数個のねじ３３〜３５による磁気回路３とベース１２との締結部分を代表して例示し、図４の一部断面図では、図３の磁気回路固定構造の１つのねじ３３による磁気回路３とベース１２との締結部分をＣ−Ｃ′により断面した場合の様子を示す。
【００４５】
図３の磁気回路固定構造において、磁気回路３は、フラットコイル２５（図２参照）の上部に近接して配置される上部マグネット３１ａおよび上部磁気ヨーク３１と、フラットコイル２５（図２参照）の下部に近接して配置される下部マグネット３０ａおよび下部磁気ヨーク３０と、上部磁気ヨーク３１と下部磁気ヨーク３０との間を磁気的に接続する磁気回路接続部３６〜３８とを有する。上部磁気ヨーク３１および下部磁気ヨーク３０の各々は、フラットコイル２５（図２参照）が移動する範囲に合わせて湾曲形状になるように形成される。さらに、上部磁気ヨーク３１および下部磁気ヨーク３０は、所定の間隔をもって磁気回路接続部３６〜３８により磁気的に接続された構成になっている。上部磁気ヨーク３１、下部磁気ヨーク３０および磁気回路接続部３６〜３８は、上部マグネット３１ａおよび下部マグネット３０ａからの磁界により生ずる磁束を通過させるために、鉄等の磁性金属により作製される。
【００４６】
さらに、図３および図４の磁気回路固定構造において、ベース１２は、前述の図１および図２の場合と同様に、アルミニウム等の非磁性金属により作製される。したがって、磁気回路３とベース１２とは、それぞれ異種の金属により作製されることになる。
【００４７】
さらに、図３および図４に示すように、磁気回路３とベース１２との締結部分では、複数個のねじ３３〜３５（図４では、説明の都合上、１個のねじ３３のみを示す）により磁気回路３の下部磁気ヨーク３０をベース１２に締結することによって磁気回路３がベース１２に固定される。
【００４８】
さらに詳しく説明すると、図３および図４に示すように、上部マグネット３１ａおよび上部磁気ヨーク３１と、下部マグネット３０ａおよび下部磁気ヨーク３０と、磁気回路接続部３６とを有する磁気回路３において、下部磁気ヨーク３０の第１の端部には、リセス部３３ａを有するねじ３３が配置されている。さらに、ねじ３３がねじ込まれるねじ孔の下部には、ねじ３３の位置決めを行うための位置決め用孔３３ｂが形成されている。さらに、図３の磁気回路固定構造において、磁気回路接続部３７を含む磁気回路３の下部磁気ヨーク３０の第２の端部には、リセス部３４ａを有するねじ３４が配置され、かつ、磁気回路接続部３８を含む磁気回路３の下部磁気ヨーク３０の第３の端部には、リセス部３５ａを有するねじ３５が配置されている。ここで、リセス部３３ａ〜３５ａは、磁気回路３をベース１１に固定する際に、ドライバ等により適度の締め付けトルクをねじ３３〜３５に印加するために使用される。
【００４９】
図４の磁気回路固定構造に示すように、一般のディスク装置の組み立て工程においては、ディスク装置の組み立てねじ３３により磁気回路３の下部磁気ヨーク３０をベースに締結することによって磁気回路３がベース１２に固定される。磁気回路３とベース１２との締結部分では、既述したように、異種の金属同士がねじにより強制的に締め付けられている状態になっている。例えば、アルミニウムからなるベース１２の熱膨張係数（約２１×１０-6１／°Ｃ）は、鉄からなる磁気回路３の熱膨張係数（約１２×１０-6１／°Ｃ）の約２倍である。周囲温度等が変化した場合、ベース１２は磁気回路３より約２倍伸びようとするが、ベース１２と磁気回路３とがねじ３３により強制的に締め付けられているために、ベースは磁気回路と同じ量しか伸びない。
【００５０】
この結果、異種の金属の熱膨張係数の違いにより、磁気回路３がベース１２を圧縮することになり、磁気回路３とベース１２との締結部分にせん断方向への応力が発生する。このせん断方向への応力が、ねじ３３による締結部分でのせん断方向の保持力よりも大きくなると、この締結部分で微小の摺動が発生するようになる。
【００５１】
この締結部分で発生する微小の摺動は、図５のグラフに示すように、時間（ｔ）に対して振動の振幅が急激に増大するような衝撃振動を伴うものである。この衝撃振動は、ねじの摩擦係数による締結部分でのせん断方向の保持力が時間に対して変化するために、この締結部分でのせん断方向の保持力が、異種の金属の熱膨張係数の違いによる締結部分でのせん断方向への応力よりも大きくなったり小さくなったりすることに起因して発生する。
【００５２】
図５のグラフから明らかなように、磁気ヘッドの加速度ＨＡは、衝撃振動が発生したときに急激に増大し、時間が経過するにつれてほぼ零（０）に収束する。ただし、磁気ヘッドのヘッド位置ＨＰに関していえば、衝撃振動によって磁気ヘッドの振動の振幅が急激に増大してヘッド位置が揺れ、その後、振動の振幅が小さくなっても元のヘッド位置には戻らなくなる。それゆえに、この衝撃振動により磁気ヘッドのヘッド位置が揺れて元のヘッド位置からずれるので、磁気ヘッドのオントラック性能が悪化し、磁気ヘッドがディスク上の目的とするトラックの位置に安定して整定されなくなるという不都合な事態が生ずる。
【００５３】
このような不都合な事態に対処するために、一般のディスク装置の組み立て工程では、ねじの直径やドライバ等による締め付けトルクを大きくすることによって、磁気回路とベースとの締結部分でのせん断方向の保持力を増大させるようにしていた。しかしながら、ディスク装置の構造上の制限によって、ねじの直径を変更することができない箇所もある。また一方で、ドライバ等による締め付けトルクを大きくした場合、ねじのリセス部への荷重が大きくなってねじ孔のつぶれ等が生ずる。
【００５４】
以下、図６〜図８を参照しながら、上記のような不都合な事態に対処するための本実施例に係るディスク装置の磁気回路固定構造の具体例を説明する。
【００５５】
図６は、本実施例に係るディスク装置の磁気回路固定構造の第１の例を一部拡大して示す断面図であり、図７は、ねじの摩擦係数と締結力との関係を示す図である。図６の断面図では、前述の図２のねじ３３による磁気回路３とベース１２との締結部分が拡大されて図示されている。
【００５６】
図６の磁気回路固定構造の第１の例においては、リセス部３３ａを有するねじ３３のねじ頭部３３ｅと下部磁気ヨーク３０とが接触する面や、ねじ面３３ｃが形成されているおねじ４３と（位置決め用孔３３ｂを有する）ベース１２内でねじ面３３ｄが形成されているねじ孔（めねじ）５３とが接触する面に、潤滑剤５を予め塗布することによって潤滑層が形成されるようにしている。
【００５７】
ここで、参考のため、ねじ（例えば、ねじ３３）の摩擦係数とねじによる締結力との関係を示す計算式を示す。図７の計算式において、Ｆ、ＴおよびＰは、それぞれ、ねじによる締結力、締め付けトルク、およびねじピッチを表している。さらに、ρ、ｄ１、ｄ２、μ１およびμ２は、摩擦角、おねじの有効径、ナット座面（または、ねじ頭部の下部磁気ヨークと接触する面）での摩擦トルク等価直径、ねじ面における摩擦係数、およびナット座面（または、ねじ頭部の下部磁気ヨークと接触する面）における摩擦係数をそれぞれ表している。
【００５８】
図７の計算式から明らかなように、ねじ３３のねじ面における摩擦係数μ１や、ねじ頭部の下部磁気ヨークと接触する面における摩擦係数μ２が小さくなるにつれて、ねじによる締結力Ｆが大きくなる。図６の磁気回路固定構造の第１の例では、潤滑剤５を塗布して形成される潤滑層によりねじ３３の摩擦係数を低減させることによって、おねじの有効径ｄ１や、ねじ頭部の下部磁気ヨークと接触する面での摩擦トルク等価直径ｄ２や、ねじピッチＰや、締め付けトルクＴ等を変更することなく、ねじによる締結力Ｆを大きくするようにしている。
【００５９】
図６の第１の例では、ねじによる締結力Ｆを大きくすることによって、磁気回路３とベース１２との締結部分でのせん断方向への保持力が、異種の金属の締結部分で生ずるせん断方向への応力よりも大きくなり、上記締結部分で衝撃振動を伴う微小の摺動が発生するのを抑制することができる。それゆえに、衝撃振動により磁気ヘッドのヘッド位置が揺れて磁気ヘッドのオントラック性能が悪化するのを防止することが可能になり、磁気ヘッドがディスク上の目的とするトラックの位置に安定して整定されるようになる。
【００６０】
好ましくは、図６の第１の例で使用される潤滑剤５として、ディスク１０（図１参照）の内部からガスが発生するのを防止するためにディスク１０（図１参照）に予め塗布されるテトラオール（登録商標）（tetraol（登録商標））等の媒体用の潤滑剤が使用される。さらに、好ましくは、テトラオール（登録商標）とベルトレ（登録商標）（veltre（登録商標））とを配合したフッ素系の潤滑剤が使用される。
【００６１】
図８は、本実施例に係るディスク装置の磁気回路固定構造の第２の例を一部拡大して示す分解斜視図である。図８の分解斜視図では、前述の図２の磁気回路３とベース１２との締結部分の中で、下部磁気ヨーク３０、樹脂層（樹脂材料）６およびベース１２が互いに重なり合う様子が拡大されて図示されている。
【００６２】
一般のディスク装置においては、磁気回路の上部磁気ヨークとディスクエンクロージャのカバーとの間に、粘着層を有する樹脂層（例えばポリイミド樹脂等からなる樹脂層）を挟みこんでいる構造体が開示されている。しかしながら、一般のディスク装置では、磁気回路はあくまでもベースに固定されているので、上記のような構造体では、磁気回路とベースとの締結部分で衝撃振動を伴う微小の摺動が発生するのを抑制することはできない。
【００６３】
これに対し、図８の磁気回路固定構造の第２の例においては、磁気回路３の下部磁気ヨーク３０とベース１２との間に粘着層７が形成された樹脂層６を挟み込むが、この樹脂層６の、磁気回路３と重なり合う部分には、粘着層７が形成されないようになっている。
【００６４】
さらに詳しく説明すると、図８の第２の例に示すように、磁気回路３の下部磁気ヨーク３０には、例えば３個のねじにより下部磁気ヨーク３０をベース１２に固定するための磁気ヨーク側固定用孔４−１〜４−３が形成されている。さらに、下部磁気ヨーク３０には、磁気回路内を通過する磁束を調整するための磁気回路調整用突起部４−４、４−５が形成されている。
【００６５】
また、ベース１２には、上記の磁気ヨーク側固定用孔４−１〜４−３の位置に合わせて、下部磁気ヨーク３０をベース１２に固定するためのベース側固定用孔８−１〜８−３がそれぞれ形成されている。
【００６６】
さらに、下部磁気ヨーク３０とベース１２との間に挟みこまれる樹脂層６には、上記の磁気ヨーク側固定用孔４−１〜４−３の位置に合わせて、例えば３個のねじを通すためのねじ通過孔６０−１〜６０−３がそれぞれ形成されており、かつ、上記の磁気回路調整用突起部４−４、４−５の位置に合わせて、磁気回路調整用孔６０−４、６０−５がそれぞれ形成されている。
【００６７】
図８の第２の例では、粘着層７が形成された樹脂層６を挟み込むことによって、磁気回路３とベース１２との締結部分で磁気回路３およびベース１２を滑らかに摺動させ、磁気回路３とベース１２との締結部分で衝撃振動を伴う微小の摺動が発生するのを抑制することができる。ただし、樹脂層６の、磁気回路３の磁気回路接続部と重なり合う部分には粘着層７を形成しないようにしているので、粘着層７を介して磁気回路３をベース１２に固定することによる磁気回路３の取り付け精度の低下を招くことがなくなり、ディスク装置の性能が悪化するのを防止することが可能になる。
【００６８】
好ましくは、図８の第２の例で使用される樹脂層６として、ポリイミド樹脂、ＰＥＴ（polyethylene tetraphthalate）樹脂、またはテフロン（登録商標）等の樹脂材料が使用される。これらの材料以外として、前述の媒体用の潤滑剤を用いてもよい。
【産業上の利用可能性】
【００６９】
本発明は、ハードディスク装置等のディスク装置の組み立てを行う際に、単一または複数個のねじにより磁気回路がベースに固定される構造を有するような種々のタイプのディスク装置に適用することが可能である。
【図面の簡単な説明】
【００７０】
【図１】本実施例に適用されるディスク装置の全体の構成を示す平面図である。
【図２】図１のディスク装置のＢ−Ｂ′断面図である。
【図３】本実施例のディスク装置の磁気回路固定構造と対比させる対象となるディスク装置の磁気回路固定構造の主要部の構成を示す斜視図である。
【図４】図３のディスク装置の磁気回路固定構造を一部断面にて示す図である。
【図５】磁気回路とベースとの間の微小の摺動により衝撃振動が発生する様子を示すグラフである。
【図６】本実施例に係るディスク装置の磁気回路固定構造の第１の例を一部拡大して示す断面図である。
【図７】ねじの摩擦係数と締結力との関係を示す図である。
【図８】本実施例に係るディスク装置の磁気回路固定構造の第２の例を一部拡大して示す分解斜視図である。
【符号の説明】
【００７１】
１    ディスク装置
２    磁気ヘッド
３    磁気回路
４−１〜４−３    磁気ヨーク側固定用孔
４−４、４−５    磁気回路調整用突起部
５    潤滑剤
６    樹脂層
７    粘着層
８−１〜８−３    ベース側固定用孔
１０    ディスク
１１    ディスクエンクロージャ
１２    ベース
１３    カバー
１４    スピンドル
１５    スピンドルモータ
２０    スライダ
２１    ヘッド支持部
２２    ピボットベアリング
２３    ランプ機構
２４    フレキシブルプリント基板
２５    フラットコイル
３０    下部磁気ヨーク
３１    上部磁気ヨーク
３０ａ    下部マグネット
３１ａ    上部マグネット
３３〜３５    ねじ
３６    磁気回路接続部
４０    ボイスコイルモータ（ＶＣＭモータ）
【図１】
0005065983.tif 000002
【図２】
0005065983.tif 000003
【図３】
0005065983.tif 000004
【図４】
0005065983.tif 000005
【図５】
0005065983.tif 000006
【図６】
0005065983.tif 000007
【図７】
0005065983.tif 000008
【図８】
0005065983.tif 000009